(57)【要約】【課題】加熱部と改質部との熱交換効率が良好な熱交換型改質器を得る。【解決手段】熱交換型改質器１０は、改質反応用の改質触媒２２が担持された改質流路１８と、燃焼用の酸化触媒２４が担持された燃焼流路２０とがプレート部５２を介して隣接している。供給された改質原料から水素を生成するための水蒸気改質反応を含む改質反応を行うための改質流路１８と、供給された燃料の触媒燃焼に伴って生じた熱を改質流路１８に供給するための燃焼流路２０とは、ガス流方向が共に矢印Ｆ方向とされて並行流型熱交換器を構成している。【選択図】図１
2007290900.tif 000002
【特許請求の範囲】
【請求項１】
改質反応用の改質触媒が担持され、水蒸気改質反応を含む改質反応によって供給された改質原料から水素を生成するための改質部と、
前記改質部のガス流と同じ方向のガス流を生じさせるように隔壁を介して前記改質部に隣接されると共に触媒燃焼用の酸化触媒が担持され、供給された燃料の触媒燃焼に伴って生じた熱を前記改質部に供給するための加熱部と、
を備えた熱交換型改質器。
【請求項２】
前記改質部での改質触媒の担持範囲における改質原料供給側の端部位置を、前記加熱部での酸化触媒の担持範囲における燃料供給側の端部位置よりもガス流れ方向上流側に設定した請求項１記載の熱交換型改質器。
【請求項３】
前記改質部での改質触媒の担持範囲における改質原料供給側の端部から所定範囲の触媒担持濃度を、該改質触媒の担持範囲における他の部分の触媒担持濃度よりも高く設定した請求項１又は請求項２記載の熱交換型改質器。
【請求項４】
前記加熱部での酸化触媒の担持範囲における燃料供給側の端部から所定範囲の触媒担持濃度を、該酸化触媒の担持範囲における他の部分の触媒担持濃度よりも低く設定した請求項１乃至請求項３の何れか１項記載の熱交換型改質器。
【発明の詳細な説明】
【技術分野】
【０００１】
本発明は、例えば炭化水素等の改質原料から水素含有の改質ガスを得るための改質反応を、改質部において加熱部からの熱供給を受けつつ行う熱交換型改質器に関する。
【背景技術】
【０００２】
積層された複数のプレート間に、炭化水素原料を改質して水素含有ガスを生成するための改質流路と、改質流路に改質反応用の熱を供給するために燃料ガスを燃焼させる燃焼流路とを形成した直交流熱交換型の燃料改質器が知られている（例えば、特許文献１参照）。特許文献１記載には、プレート間の各部における燃焼反応の発熱分布と改質反応の吸熱分布とが調整されるように、プレート間に触媒の非担持領域を設定する技術が記載されている。
【特許文献１】特開２００４−２４４２３０明細書
【発明の開示】
【発明が解決しようとする課題】
【０００３】
上記従来の直交流熱交換型の燃料改質器では、燃焼反応による高発熱部位と改質反応による高吸熱部位とを一致させるための工夫を行っているが、吸発熱部位を一致させて熱交換効率を向上させる点について改善の余地があった。
【０００４】
また、並行流熱交換型の燃料改質器においては、改質触媒の担持範囲と酸化触媒の担持範囲とが一致している場合には、燃焼反応の反応速度が改質反応の反応速度に対し著しく速いことから、燃焼反応の発熱ピークに対し改質反応の発熱ピークがガス流方向の下流側にずれる傾向を示す。このため、並行流熱交換型の燃料改質器では、酸化触媒の上流側担持端近傍で、局所的に吸熱量に対し発熱量が過剰になり、局所的な高温部位が発生することが懸念される。特に、触媒担持精度の不足や局所的な触媒剥がれ等によって酸化触媒の担持範囲が改質触媒の担持範囲よりもガス流方向の上流側に広くなっている場合、局所的な高温部位が一層（広範囲で）発生しやすくなる。
【０００５】
本発明は、上記事実を考慮して、加熱部と改質部との熱交換効率が良好な熱交換型改質器を得ることが目的である。
【課題を解決するための手段】
【０００６】
上記目的を達成するために請求項１記載の発明に係る熱交換型改質器は、改質反応用の改質触媒が担持され、水蒸気改質反応を含む改質反応によって供給された改質原料から水素を生成するための改質部と、前記改質部のガス流と同じ方向のガス流を生じさせるように隔壁を介して前記改質部に隣接されると共に触媒燃焼用の酸化触媒が担持され、供給された燃料の触媒燃焼に伴って生じた熱を前記改質部に供給するための加熱部と、を備えている。
【０００７】
請求項１記載の熱交換型改質器では、改質部において加熱部から燃焼による熱供給を受けつつ、供給された改質ガスを改質触媒に接触させて改質反応を生じさせ（促進し）、水素（を含有するガス）を得る。改質反応は、改質触媒の担持範囲における上流側（改質原料供給側）の端部近傍に高吸熱部位を生じさせ、燃焼反応は、酸化触媒の担持範囲における上流側（燃料供給側）の端部近傍に高発熱部位を生じさせる。
【０００８】
ここで、改質部における改質原料（改質ガス）の流れ方向と、加熱部における燃料又は燃焼ガスの流れ方向とが一致しているため、換言すれば、加熱部と改質部とで並行流熱交換型の改質器を構成しているため、加熱部における燃焼反応による高発熱部位と改質部における改質反応による高吸熱部位とを、それぞれの触媒担持範囲におけるガス流方向の同じ側（上流側）で生じさせることができる。すなわち、吸熱要求の大きい部分に発熱の大きい部分を近づける（吸発熱の分布傾向を一致させる）ことができる。そのため、改質器内部での熱伝導経路を最小とすることで、請求項１記載の熱交換型改質器では、加熱部と改質部との熱交換効率が良好である。
【０００９】
請求項２記載の発明に係る熱交換型改質器は、請求項１記載の熱交換型改質器において、前記改質部での改質触媒の担持範囲における改質原料供給側の端部位置を、前記加熱部での酸化触媒の担持範囲における燃料供給側の端部位置よりもガス流れ方向上流側に設定した。
【００１０】
請求項２記載の熱交換型改質器では、改質部において改質原料が改質触媒に最初に接触する位置が、加熱部において燃料が酸化触媒に最初に接触する位置よりもガス流れ方向の上流側に位置しているため、改質部における吸熱のピークを上流側にシフトすることができる。これにより、燃焼反応による高発熱部位と改質反応による高吸熱部位とを一層良好に一致させることができる。
【００１１】
例えば、改質反応の主反応が吸熱反応である水蒸気改質反応である場合、改質部では改質触媒の上流端側から吸熱反応が生じるものの、この吸熱反応は燃焼反応と比較して反応速度が遅いために吸熱のピークが発熱のピークに対し下流側にわずかに位置ずれするが、改質触媒の上流端を酸化触媒の上流端に対しわずかに上流側に広げることで、遅い吸熱反応速度が補完され、燃焼反応による高発熱部位と改質反応による高吸熱部位とが良好に一致する。これにより、吸熱量と発熱量とのアンバランスによる局所的な高温部位の発生が防止される。
【００１２】
また例えば、改質反応が水蒸気改質反応の他に部分酸化反応等の発熱反応を含む場合、このような発熱反応は改質触媒担持範囲の上流側で主に生じ、この発熱が水蒸気改質反応に供される。ここで、酸化触媒の上流端の位置を改質触媒の上流端の位置に対し下流側に位置させることで、改質部での発熱反応が収束した後に加熱部からの熱供給を受けて吸熱反応を行う構成とし、システムの熱収支を適正化（最適化）することができる。
【００１３】
請求項３記載の発明に係る熱交換型改質器は、請求項１又は請求項２記載の熱交換型改質器において、前記改質部での改質触媒の担持範囲における改質原料供給側の端部から所定範囲の触媒担持濃度を、該改質触媒の担持範囲における他の部分の触媒担持濃度よりも高く設定した。
【００１４】
請求項３記載の熱交換型改質器では、改質触媒の担持範囲における上流側端部から所定範囲（一部）で他の部分よりも改質触媒の担持濃度が高いため、改質触媒の担持範囲の上流端側一部における吸熱反応が促進される。換言すれば、改質部における吸熱のピークが上流側にシフトされる。このため、改質部における遅い吸熱反応速度を補完して燃焼反応による高発熱部位を改質反応による高吸熱部位に良好に一致させたり、改質部における発熱反応を早期に収束してその後に改質部への供給熱量を増す構成としたりすることが可能になる。
【００１５】
請求項４記載の発明に係る熱交換型改質器は、請求項１乃至請求項３の何れか１項記載の熱交換型改質器において、前記加熱部での酸化触媒の担持範囲における燃料供給側の端部から所定範囲の触媒担持濃度を、該酸化触媒の担持範囲における他の部分の触媒担持濃度よりも低く設定した。
【００１６】
請求項４記載の熱交換型改質器では、酸化触媒の担持範囲における上流端側から所定範囲の（一部）で他の部分よりも酸化触媒の担持濃度が低いため、酸化触媒の担持範囲の上流側一部における発熱反応が緩和（抑制）される。換言すれば、加熱部における発熱のピークが下流側にシフトされる。これにより、加熱部における速い燃焼反応を抑制して燃焼反応による高発熱部位を改質反応による高吸熱部位に良好に一致させたり、改質部における発熱反応の収束後に改質部への供給熱量を増す構成としたりすることが可能になる。
【発明の効果】
【００１７】
以上説明したように本発明に係る熱交換型改質器は、加熱部と改質部との熱交換効率が良好である。
【発明を実施するための最良の形態】
【００１８】
本発明の第１の実施形態に係る熱交換型改質器１０について、図１乃至図４に基づいて説明する。先ず、熱交換型改質器１０が適用された燃料電池システム１１の全体システム構成を説明し、次いで、熱交換型改質器１０の詳細構造を説明することとする。
【００１９】
（燃料電池システムの全体構成）
図４には、燃料電池システム１１のシステム構成図（プロセスフローシート）が示されている。この図に示される如く、燃料電池システム１１は、水素を消費して発電を行う燃料電池１２と、燃料電池１２に供給するための水素含有の改質ガスを生成するための熱交換型改質器（改質器）１０とを主要構成要素として構成されている。
【００２０】
燃料電池１２は、アノード電極（燃料極）１４とカソード電極（空気極）１６との間に、図示しない電解質を挟んで構成されており、主にアノード電極に供給される水素とカソード電極１６に供給される酸素とを電気化学反応させて発電を行う構成とされている。燃料電池１２としては、種々の形式のものを採用することができるが、この実施形態では、中温域（３００℃〜６００℃程度）で運転されると共に、発電に伴ってカソード電極１６で水が生成されるプロトン伝導型の電解質を有する燃料電池（例えば、固体高分子型や水素分離膜型の燃料電池）が採用されている。
【００２１】
熱交換型改質器１０は、図４に示される如く、燃料電池１２のアノード電極１４に供給するための水素含有の改質ガスを生成する改質部としての改質流路１８と、改質流路１８が改質反応を行うための熱を供給するための加熱部として燃焼流路２０とを含んで構成されている。改質流路１８には、改質触媒２２が担持されており、供給される炭化水素ガス（ガソリン、メタノール、天然ガス等）と改質用ガス（水蒸気）を触媒反応させることで、水素ガスを含む改質ガスを生成する（改質反応を行う）ようになっている。
【００２２】
改質流路１８における改質反応には、以下の式（１）乃至（４）で表されるように、式（１）で示す水蒸気改質反応を含む各反応が含まれる。したがって、改質工程で得た改質ガスには、水素（Ｈ２）、一酸化炭素（ＣＯ）、メタン（ＣＨ４）、分解炭化水素や未反応の原料炭化水素（ＣｘＨｙ）等の可燃性ガス、及び二酸化炭素（ＣＯ２）、水（Ｈ２Ｏ）等の不燃性ガスを含むようになっている。
【００２３】
ＣｎＨｍ＋ｎＨ２Ｏ      →  ｎＣＯ ＋（ｎ＋ｍ／２）Ｈ２   …  （１）
ＣｎＨｍ＋ｎ／２Ｏ２  →  ｎＣＯ ＋  ｍ／２Ｈ２         …  （２）
ＣＯ＋Ｈ２Ｏ  ⇔  ＣＯ２＋Ｈ２                            …  （３）
ＣＯ＋３Ｈ２  ⇔  ＣＨ４＋Ｈ２Ｏ                    …  （４）
この改質反応の中で主となる式（１）の水蒸気改質反応は吸熱反応であり、かつ改質流路１８は、反応に十分な温度環境の設定と、上記の通り中温又は高温で運転される燃料電池１２への改質ガスの供給とのために、所定温度以上の温度で運転されるようになっている。燃焼流路２０は、この改質流路１８における改質反応、運転温度を維持するための熱の供給する構成とされている。燃焼流路２０は、酸化触媒２４を担持して改質流路１８に隣接して設けられており、供給された燃料を酸素と共に酸化触媒２４接触させて触媒燃焼を生じさせる構成とされている。また、式（２）の部分酸化反応は発熱反応であり、この部分酸化反応による発熱は、燃焼流路２０からの熱と併せて水蒸気改質反応に供されるようになっている。
【００２４】
熱交換型改質器１０は、燃焼流路２０で燃料を触媒燃焼させて得た燃焼熱を後述するプレート部５２を介して改質流路１８に供給するようになっている。このため、燃焼ガス等の熱媒（流体）を介して改質流路１８を加熱する構成のように熱量を温度に変換することなく、改質流路１８に熱量を直接的に付与することができる構成とされている。
【００２５】
そして、燃料電池システム１１は、改質流路１８に炭化水素原料を供給するための原料ポンプ２６を備えており、原料ポンプ２６の吐出部は原料供給ライン２８を介して改質流路１８の原料入口１８Ａに接続されている。炭化水素原料は、上記した改質反応には寄与しない硫黄成分（硫黄化合物）をわずかに含んでいる。この炭化水素原料は、例えば蒸発器やインジェクション等図示しない気化手段等によって、気相又は微粒化状態で改質流路１８に供給されるようになっている。
【００２６】
また、改質流路１８の改質ガス出口１８Ｂは、下流端がアノード電極１４の燃料入口１４Ａに接続された改質ガス供給ライン３０の上流端に接続されている。これにより、改質流路１８で生成された改質ガスが燃料電池１２のアノード電極１４に供給されるようになっている。一方、アノード電極１４のオフガス出口１４Ｂには、アノードオフガスライン３２の上流端が接続されており、アノードオフガスライン３２の下流端は燃焼流路２０の燃料入口２０Ａに接続されている。
【００２７】
以上により、燃料電池システム１１では、改質流路１８で生成された改質ガス中の水素が燃料電池１２で消費され、この消費された水素を除く残余成分がアノードオフガスとして燃焼流路２０に導入され、そのうちの可燃成分（水素（Ｈ２）、一酸化炭素（ＣＯ）、炭化水素（ＨＣ）、メタン（ＣＨ４）、二酸化炭素（ＣＯ２））が燃焼流路２０で燃料として消費されるようになっている。この燃焼流路２０の排ガス出口２０Ｂには、燃焼排ガスを系外に排出するための排気ガスライン３４が接続されている。
【００２８】
また、燃料電池システム１１は、カソード電極１６にカソード用空気を供給するためのカソード用空気ポンプ３６を備えており、カソード用空気ポンプ３６の吐出部は、下流端がカソード電極１６の空気入口１６Ａに接続されたカソード用空気供給ライン３８の上流端が接続されている。さらに、カソード電極１６のオフガス出口１６Ｂには、水蒸気供給ライン４０の上流端が接続されており、水蒸気供給ライン４０の下流端は、改質流路１８の水蒸気入口１８Ｃ接続されている。これにより、カソード電極１６で生成された水蒸気、該カソード電極１６で消費されなかった酸素を含むカソードオフガスが改質流路１８に供給される構成である。そして、カソードオフガス中の水蒸気が式（１）の水蒸気改質反応に利用され、酸素が式（２）の部分酸化反応に利用されるようになっている。すなわち本実施形態に係る熱交換型改質器１０は、酸素を含有するカソードオフガスを改質流路１８に供給することで、炭化水素減量中の炭素量に対する供給酸素量の割合であるＯ／Ｃ比が高い条件で運転される攻勢とされている。
【００２９】
さらに、燃料電池システム１１は、燃料電池１２に冷却空気を供給するための冷却用空気ポンプ４２を備えており、冷却用空気ポンプ４２の吐出部は、下流端が燃料電池１２の冷媒流路（図示省略）の入口１２Ａに接続された冷却用空気ライン４４の上流端に接続されている。この冷媒流路の出口１２Ｂは、支燃ガス供給ライン４６の上流端に接続されている。支燃ガス供給ライン４６は、燃焼流路２０における支燃ガス入口２０Ｃに接続されており、燃焼流路２０に燃焼支燃ガスとしての酸素を含む冷却オフガスを供給するようになっている。これにより、燃焼流路２０では、アノードオフガスライン３２からのアノードオフガスと支燃ガス供給ライン４６からの冷却オフガスとを内蔵した酸化触媒２４に接触させて、触媒燃焼を生じさせる構成とされている。
【００３０】
なお、燃料電池システム１１は、例えば、水蒸気供給ライン４０にカソードオフガス中の水蒸気のみを選択的に透過させる分離膜（ポリイミドやセラミック等の多孔体分離膜）を設けたり、改質用の水蒸気を系外から導入したりすることで、改質流路１８に酸素が供給されない構成又は炭化水素原料中の炭素に対する供給酸素量（Ｏ／Ｃ比）が小さくなる構成とすることができる。これらの構成では、熱交換型改質器１０における改質反応の主反応が水蒸気改質反応となり、部分酸化反応が行われないか又は部分酸化反応による発熱量が極めて小さくなる。
【００３１】
（熱交換型改質器の構成）
図２には、熱交換型改質器１０が分解斜視図にて示されている。この図に示される如く、熱交換型改質器１０は、積層された複数の単位プレート部材５０、５１間に改質部としての改質流路１８、加熱部としての燃焼流路２０が、単位プレート部材５０、５１のプレート部５２を隔壁として隔てられた独立したガス流路として形成されている。この実施形態では、改質流路１８と燃焼流路２０とは積層方向（プレート部５２の厚み方向）に交互に配置されており、プレート部５２を介して隣接している。以下、具体的に説明する。
【００３２】
単位プレート部材５０は、平板状に形成されたプレート部５２を備えている。プレート部５２は、平面視で、長方形状とされた並行流部５２Ａの長手方向両側に、それぞれ流れ方向変換部５２Ｂ、５２Ｃが連設されて構成されている。この実施形態では、流れ方向変換部５２Ｂ、５２Ｃは、それぞれ並行流部５２Ａ（長方形）の短辺に底辺を一致させた如き三角形状に形成されており、このためプレート部５２は全体として略六角形状に形成されている。各単位プレート部材５０は、プレート部５２の周縁から改質流路１８の形成側に立設された外壁５４を備えている。
【００３３】
外壁５４は、方向変換部５２Ｂ、５２Ｃの各一辺部分を除きプレート部５２の全周から立設されることで、積層された単位プレート部材５０、５１間に改質流路１８を形成するスペーサ機能、改質流路１８からのガス流出を防止する外壁機能を果たすと共に、流れ方向変換部５２Ｂ側のガス入口５０Ａ、流れ方向変換部５２Ｃ側のガス出口５０Ｂを形成している。ガス入口５０Ａ、ガス出口５０Ｂは、プレート部５２の図心に対し対称に形成されている。
【００３４】
また、単位プレート部材５０のプレート部５２における改質流路１８の形成側からは、改質流路１８を複数の平行流路に区画する複数の立壁（隔壁）５６が立設されている。各立壁５６は、ガス入口５０Ａからガス出口５０Ｂまで、外壁５４と略平行とされており、改質流路１８を複数の分割流路（マイクロチャンネル）５８に区画する構成とされている。各分割流路５８は、上記したガス入口５０Ａ、ガス出口５０Ｂの対称配置によって、ガス入口５０Ａからガス出口５０Ｂまでの流路長が略一定となるクランク状に形成されている。また、各分割流路５８における並行流部５２Ａにおいて該並行流部５２Ａの長手方向に沿った部分は、それぞれ熱交換流路５８Ａとされている。
【００３５】
単位プレート部材５１は、単位プレート部材５０を構成するプレート部５２と同じ形状のプレート部５２を備えており、またプレート部５２の周縁から燃焼流路２０の形成側に立設された外壁６０を備えている。外壁６０は、方向変換部５２Ｂ、５２Ｃにおける各一辺部分を除きプレート部５２の全周から立設されることで、積層された単位プレート部材５１、５０間に燃焼流路２０を形成するスペーサ機能、燃焼流路２０からのガス流出を防止する外壁機能を果たすと共に、流れ方向変換部５２Ｂ側のガス入口５１Ａ、流れ方向変換部５２Ｃ側のガス出口５１Ｂを形成している。
【００３６】
ガス入口５１Ａは、並行流部５２Ａに対し単位プレート部材５０のガス入口５０Ａと長手方向の同じ側（図２の矢印Ａ側）において、異なる向きを向いて開口するように形成されている。また、ガス出口５１Ｂは、並行流部５２Ａに対し単位プレート部材５０のガス出口５０Ｂと長手方向の同じ側（図２の矢印Ｂ側）において、異なる向きを向いて開口するように形成されている。
【００３７】
また、単位プレート部材５１のプレート部５２における改質流路１８の形成側からは、燃焼流路２０を複数の平行流路に区画する複数の立壁（隔壁）６２が立設されている。各立壁６２は、ガス入口５１Ａからガス出口５１Ｂまで、外壁６０と略平行とされており、燃焼流路２０を複数の分割流路（マイクロチャンネル）６４に区画する構成とされている。各分割流路６４は、上記したガス入口５１Ａ、ガス出口５１Ｂの対称配置によって、ガス入口５１Ａからガス出口５１Ｂまでの流路長が略一定となるクランク状に形成されている。また、各分割流路６４における並行流部５２Ａにおいて該並行流部５２Ａの長手方向に沿った部分は、それぞれ熱交換流路６４Ａとされている。
【００３８】
以上説明した熱交換型改質器１０は、上記の通りガス入口５０Ａ、５１Ａが並行流部５２Ａ（熱交換流路５８Ａ、６４Ａ）に対する同じ側（矢印Ａ側）に位置すると共に、ガス出口５０Ｂ、５１Ｂが並行流部５２Ａに対する同じ側（矢印Ｂ側）に位置することで、各層の熱交換流路５８Ａ、熱交換流路６４Ａでのガス流れ方向がそれぞれ同じ方向（矢印Ｆ方向）とされている。
【００３９】
また、以上説明した単位プレート部材５０、単位プレート部材５１は、例えばステンレス鋼などの金属材や中実の（多孔体ではない）セラミック材にて、各部（プレート部５２・外壁５４・立壁５６、又はプレート部５２・外壁６０・立壁６２）が一体的に形成されている。また、単位プレート部材５０と単位プレート部材５１とは、プレート部５２と外壁５４又は外壁６０（各立壁５６、６２）とが、例えばろう材を用いたろう付け、拡散接合、又はセラミックボンドによる接着等によって気密に接合されている。
【００４０】
熱交換型改質器１０における各層のガス入口５０Ａの開口部分には、改質原料（炭化水素）及び水蒸気（カソードオフガス）が導入される原料入口１８Ａ及び水蒸気入口１８Ｃが形成された図示しない改質入口マニホルドが接続されている。熱交換型改質器１０における各層のガス出口５０Ｂの開口部分には、水素含有ガスを放出する改質ガス出口１８Ｂが形成された図示しない改質出口マニホルドが接続されている。一方、熱交換型改質器１０における各層のガス入口５１Ａの開口部分には、燃料（アノードオフガス）及び支燃ガス（冷却オフガス）が燃料入口２０Ａ及び支燃ガス入口２０Ｃが形成された図示しない燃焼入口マニホルドが接続されている。熱交換型改質器１０におけるガス各層の出口５１Ｂの開口部分には、燃焼排ガス排出する燃焼流路２０の排ガス出口２０Ｂが形成された図示しない排ガス出口マニホルドが接続されている。
【００４１】
そして、以上説明した熱交換型改質器１０は、単位プレート部材５０における分割流路５８の内面に改質触媒２２が担持されており、単位プレート部材５１における分割流路６４の内面に酸化触媒２４が担持されている。各立壁５６、６２の図示を省略した分解平面図である図１に示される如く、改質触媒２２は、分割流路５８（改質流路１８）におけるガス入口５０Ａ側の一部を除く所定範囲に亘って担持されており、酸化触媒２４は、分割流路６４（燃焼流路２０）におけるガス入口５１Ａ側の一部を除く所定範囲に亘って担持されている。
【００４２】
より具体的には、改質触媒２２は、改質原料が供給されるガス流れ方向の上流側（矢印Ａ側）の端部である上流側担持端２２Ａが、各分割流路５８における熱交換流路５８Ａの上流端に対し上流側にオフセットしている。一方、酸化触媒２４は、燃料が供給されるガス流れ方向の上流側（矢印Ａ側）の端部である上流側担持端２４Ａが、各分割流路６４における熱交換流路６４Ａの上流端に略一致している。したがって、並交流型の熱交換型改質器１０では、改質流路１８における改質触媒２２の担持範囲が、燃焼流路２０における酸化触媒２４の担持範囲に対し、ガス流れ方向の上流側に広い構成とされている。
【００４３】
熱交換型改質器１０では、ガス出口５０Ｂ、ガス出口５１Ｂから導入したスラリ状の触媒担体をガス入口５０Ａ、ガス入口５１Ａから独立して吸引することで、改質流路１８の分割流路５８と燃焼流路２０の分割流路６４とで触媒担体の設置範囲を異ならせ、その後各分割流路５８、６４に設置された触媒担体に改質触媒２２、酸化触媒２４を担持させることで、上記の通り改質触媒２２と酸化触媒２４とで触媒担持範囲を異ならせている。上流側担持端２２Ａ、上流側担持端２４Ａ（制御ライン）で触媒担体の吸引を停止するために、例えば各分割流路５８、６４の代表的な一部又は全部に配置され触媒担体を検出する触媒センサの検出信号を用いることができる。
【００４４】
次に、第１の実施形態の作用を説明する。
【００４５】
上記構成の燃料電池システム１１では、原料ポンプ２６、カソード用空気ポンプ３６の作動によって、原料供給ライン２８から熱交換型改質器１０の改質流路１８に炭化水素原料、水蒸気（カソードオフガス）が導入される。熱交換型改質器１０の改質流路１８内では、燃焼流路２０からの熱供給を受けつつ導入された炭化水素原料を水蒸気と共に改質触媒２２に接触させることで式（１）の水蒸気改質反応、式（２）の部分酸化反応を含む改質反応（上式（１）〜（４）参照）が行われ、水素を高濃度で含有する改質ガスが生成される。
【００４６】
改質流路１８で生成された改質ガスは、アノード電極１４の燃料入口１４Ａからアノード電極１４に供給される。燃料電池１２では、アノード電極１４に供給された改質ガス中の水素がプロトン化され、このプロトンが電解質を経由してカソード電極１６に移動して該カソード電極１６に導入された空気中の酸素と反応する。このプロトンの移動に伴って電子がアノード電極１４から外部導体を通じてカソード電極に向けて流れ、発電が行われる。
【００４７】
この発電によって燃料電池１２では、アノード電極１４に供給された改質ガス中の水素、カソード電極１６に供給されたカソード用空気中の酸素が発電量（負荷の電力消費量）に応じて消費され、カソード電極１６では水（運転温度において水蒸気）が生成される。この水蒸気を含むガスは、上記の通りカソードオフガスとしてカソード電極１６から水蒸気供給ライン４０に押し出され、水蒸気入口１８Ｃから改質流路１８に導入される。
【００４８】
一方、発電に伴って改質ガス中の水素が発電量に応じて消費された後のガスは、アノードオフとしてアノード電極１４から排出され、このアノードオフガスは、アノードオフガスライン３２を経由して、熱交換型改質器１０の燃焼流路２０に供給される。また、燃焼流路２０には、支燃ガス供給ライン４６から燃料電池１２を冷却した後の冷却オフガスが供給される。この燃焼流路２０では、燃料であるアノードオフガス中の可燃成分を、冷却オフガス中の酸素を支燃ガスと共に酸化触媒２４に接触させることで触媒燃焼が生じる。この触媒燃焼によって生じた熱は、プレート部５２を介して改質流路１８に供給される。この熱によって改質流路１８では、吸熱反応である改質反応を維持すると共に運転温度（改質ガス温）を改質反応に必要な温度に保つ。
【００４９】
以上により、燃料電池システム１１では、熱交換型改質器１０に炭化水素原料を供給すると共に、燃料電池１２の各排出ガス（水蒸気を含むカソードオフガス、可燃成分を含むアノードオフガス、酸素を含む冷却オフガス）を有効利用して、該燃料電池１２に供給する水素を生成する熱交換型改質器１０の運転を維持する。
【００５０】
ところで、改質流路１８における改質反応は、改質原料の入口側すなわち改質触媒２２担持範囲の上流側担持端２２Ａ側で吸熱のピークを生じる。また、燃焼流路２０燃焼反応は、燃料の入口側すなわち酸化触媒２４担持範囲の上流側担持端２４Ａ側で発熱のピークを生じる。このため、例えば、直交流型の熱交換型改質器では、改質部と加熱部とでガス流れ方向が交差するので、構造上、局所的な高温部が発生してしまう問題がある。また例えば、対向流型の熱交換型改質器は、改質部と加熱部との吸発熱のピークが熱交換部におけるガス流方向反対側の端部で生じるので、改質器における熱交換器としては不向きである。
【００５１】
ここで、熱交換型改質器１０では、改質流路１８の熱交換流路５８Ａと燃焼流路２０の熱交換流路６４Ａとでガス流れ方向が同じである並行流型熱交換器を構成しているため、換言すれば、改質反応において改質原料が供給されるガス入口５０Ａ側で生じる吸熱のピークと、燃焼反応において燃料が供給されるガス入口５１Ａ側で生じる発熱のピークとをガス流れ方向の同じ側に制御することができるため、改質流路１８と燃焼流路２０との間の熱交換効率が向上する。これにより、熱交換型改質器１０では、燃焼流路２０での発熱を有効に利用して効率的に改質による水素生成を行うことができる。
【００５２】
このように、第１の実施形態に係る熱交換型改質器１０では、燃焼流路２０と改質流路１８との熱交換効率が良好である。
【００５３】
また、熱交換型改質器１０では、改質触媒２２の担持範囲が酸化触媒２４の担持範囲に対して上流側に広いため、改質反応と燃焼反応との反応速度差に起因する局所的な高温部の発生が防止される。以下、図８に示す比較例と比較しつつ説明する。図８（Ａ）に示す第１比較例に係る熱交換型改質器２００では、改質触媒２２の担持範囲と酸化触媒２４の担持範囲とが一致している。このような熱交換型改質器２００では、燃焼反応の反応速度が改質反応の反応速度に対し著しく速いことから、図３（Ｂ）に示される如く燃焼反応の発熱ピークＰｃに対し改質反応の発熱ピークＰｒが下流側にずれる傾向を示す。このため、熱交換型改質器２００では、改質触媒２２の上流側担持端２２Ａ、酸化触媒２４の上流側担持端２４Ａ近傍の局所的な領域で吸熱量に対し発熱量が過剰になり、図８（Ｂ）に示す如き局所的な高温部位Ｈ（局所的な高温状態）が発生することが懸念される。特に、図９（Ａ）に示される第２比較例に係る熱交換型改質器２１０の如く、触媒担持精度の不足や局所的な触媒剥がれ等によってガス入口５１Ａ側で酸化触媒２４の担持範囲が改質触媒２２の担持範囲よりも広くなっている場合、図９（Ｂ）に示す如き局所的な高温部位Ｈが一層（広範囲で）発生しやすくなる。
【００５４】
これに対して熱交換型改質器１０では、上記の如く改質触媒２２の担持範囲が酸化触媒２４の担持範囲に対して上流側に広いため、図３（Ａ）に示される如く、熱交換型改質器２００（想像線参照）と比較して改質反応の発熱ピークＰｒが燃焼反応の発熱ピークＰｃに近づき（上流側にシフトし）、換言すれば、改質反応の反応速度の遅さが補完され、局所的な高温状態の発生を回避することができる。また、改質触媒２２の上流側担持端２２Ａを酸化触媒２４の上流側担持端２４Ａよりも上流側に設定することで、触媒担持精度の不足（誤差）が吸収され、また局所的な剥がれの許容代が形成されるので、酸化触媒２４の担持範囲に改質触媒２２の非担持領域が形成される確率を著しく低減することができる。すなわち、局所的な高温部の発生リスクを大幅に軽減することができる。
【００５５】
さらに、熱交換型改質器１０では、上記した通り改質反応に式（２）で示す部分酸化反応を含む（Ｏ／Ｃ比が高い条件で運転される）ため、改質反応の初期には、改質流路１８（熱交換流路５８Ａの上流側の一部）において部分酸化反応に伴う発熱が生じる。このため、図３（Ａ）に破線にして示す如く、改質反応の初期には部分酸化反応を伴わない反応と比較して吸熱量の小さい領域が存在する。ここで、熱交換型改質器１０では、上記の通り改質触媒２２の上流側担持端２２Ａが酸化触媒２４の上流側担持端２４Ａよりも上流側に位置するため、改質流路１８の初期には部分酸化反応に伴う発熱を水蒸気改質反応に利用し、部分酸化反応の収束後に燃焼流路２０からの熱供給によって水蒸気改質反応を維持する。これにより、ガス流れ方向の各部での吸発熱がバランスされる（吸発熱の分布（の傾向）が一致する）と共に、熱交換型改質器１０全体（システム）としての熱収支が最適化される。
【００５６】
なお、改質流路１８に酸素が供給されない条件、又は炭化水素原料に対する酸素供給量が少ない低Ｏ／Ｃ比の条件では、改質流路１８では部分酸化反応が生ぜず又は部分酸化反応による発熱が著しく小さい。この場合でも上記した並行流熱交換型の熱交換型改質器１０としての効果、局所的な高温状態発生の抑制効果を得ることができることは言うまでもない。この場合、改質触媒２２の上流側担持端２２Ａと酸化触媒２４の上流側担持端２４Ａとのガス流れ方向のオフセット量は、部分酸化反応を伴う条件又は高Ｏ／Ｃ比の条件で運転される構成と比較して小さく設定することができる。
【００５７】
次に、本発明の他の実施形態を説明する。なお、上記第１の実施形態又は前出の構成と基本的に同一の部品・部分については上記第１の実施形態又は前出の構成と同一の符号を付して説明を省略し、図示を省略する場合もある。
【００５８】
（第２の実施形態）
図５には、本発明の第２の実施形態に係る熱交換型改質器７０が図１に対応する分解平面図にて示されている。この図に示される如く、熱交換型改質器７０は、改質触媒２２の担持範囲が酸化触媒２４の担持範囲に対して上流側に広い点で第１の実施形態に係る熱交換型改質器１０と共通し、改質触媒２２の上流側担持端２２Ａが熱交換流路５８Ａの上流端に略一致する点で熱交換型改質器１０とは異なる。したがって、熱交換型改質器７０では、熱交換流路６４Ａの上流端側の一部が酸化触媒２４の非担持領域とされている。熱交換型改質器７０の他の構成は、熱交換型改質器１０の対応する構成と同じである。
【００５９】
このように、第２の実施形態に係る熱交換型改質器７０では、上記の通り改質触媒２２の担持範囲が酸化触媒２４の担持範囲に対して上流側に広いで第１の実施形態に係る熱交換型改質器１０と共通するため、熱交換型改質器７０によっても熱交換型改質器１０と同様の作用によって同様の効果を得ることができる。すなわち、熱交換型改質器７０では、燃焼反応による高発熱部位と改質反応による高吸熱部位とを良好に一致させることができる。
【００６０】
なお、本発明は、改質触媒２２、酸化触媒２４の担持範囲の上流側担持端２２Ａ、２４Ａが並行流部５２Ａ（熱交換流路５８Ａ、６４Ａ）の上流端を基準にするとことに限定されることはない。但し、良好な熱交換性能を得る（小型化を図る）ために、熱交換流路５８Ａ、６４Ａの体積を有効利用することが望ましい。
【００６１】
（第３の実施形態）
図６には、本発明の第３の実施形態に係る熱交換型改質器８０が図１に対応する分解平面図にて示されている。この図に示される如く、熱交換型改質器８０は、各改質流路１８（分割流路５８）、燃焼流路２０（分割流路６４）における改質触媒２２、酸化触媒２４の担持範囲は、熱交換型改質器７０における改質触媒２２、酸化触媒２４の担持範囲と同等であるが、改質触媒２２の一部が他の部分よりも高担持濃度とされている点で、第２の実施形態に係る熱交換型改質器７０とは異なる。
【００６２】
具体的には、改質触媒２２の上流側担持端２２Ａからガス流れ方向に沿った所定距離Ｌ１までの範囲が、改質触媒２２の担持範囲における他の部分よりも改質触媒２２の担持濃度が高い（濃い）高濃度担持領域２２Ｂとされている。この実施形態では、高濃度担持領域２２Ｂの下流端は、酸化触媒２４の上流側担持端２４Ａよりもわずかに下流側に位置している。換言すれば、酸化触媒２４の上流側担持端２４Ａ（燃焼開始位置）は、改質触媒２２の高濃度担持領域２２Ｂのガス流れ方向の中間（途中）部に位置している。熱交換型改質器８０の他の構成は、熱交換型改質器７０、１０の対応する構成と同じである。
【００６３】
したがって、第３の実施形態に係る８０によっても、第１又は第２の実施形態に係る熱交換型改質器１０、７０と同様の作用によって、同様の効果を得ることができる。また、熱交換型改質器８０は、改質原料の入口側端部側の所定範囲が高濃度担持領域２２Ｂとされているため、改質触媒２２の高濃度担持領域２２Ｂでの改質反応が促進されて吸熱量が増し、改質流路１８での改質反応に伴う吸熱のピークＰｃが上流側にシフトして燃焼流路２０での燃焼発熱のピークに一層近接する。このため、熱交換型改質器８０では、燃焼流路２０での発熱を一層有効に利用して効率的に改質による水素生成を行うことができ、局所的な高温状態の発生が一層効果的に回避される。さらに、改質反応に部分酸化反応を伴う場合であっても、改質原料の入口側端部側すなわち高濃度担持領域２２Ｂでの吸熱量が大きくなる熱交換型改質器８０では、部分酸化反応（による発熱）が早期に収束し、ガス流れ方向の各部での吸発熱が良好にバランスされると共に、熱交換型改質器８０全体（システム）としての熱収支が最適化される。
【００６４】
なお、第３の実施形態では、改質触媒２２（高濃度担持領域２２Ｂ）の上流側担持端２２Ａが酸化触媒２４の上流側担持端２４Ａよりも上流側に位置する例を示したが、本発明はこれに限定されず、例えば、高濃度担持領域２２Ｂの上流側担持端２２Ａが酸化触媒２４の上流側担持端２４Ａに略一致する構成としても良い。この場合でも、高濃度担持領域２２Ｂによって吸熱ピークが上流側にシフトするため、第１の実施形態に係る熱交換型改質器１０と同様の効果を得ることができる。
【００６５】
（第４の実施形態）
図７には、本発明の第４の実施形態に係る熱交換型改質器９０が図１に対応する分解平面図にて示されている。この図に示される如く、熱交換型改質器９０は、酸化触媒２４の一部が他の部分よりも低担持濃度とされている点で、上記各実施形態に係る熱交換型改質器、１０、７０、８０とは異なる。
【００６６】
具体的には、酸化触媒２４の上流側担持端２４Ａからガス流れ方向に沿った所定距離Ｌ２までの範囲が、酸化触媒２４の担持範囲における他の部分よりも酸化触媒２４の担持濃度が低い（薄い）低濃度担持領域２４Ｂとされている。この実施形態では、低濃度担持領域２４Ｂの上流端である上流側担持端２４Ａは、改質触媒２２の上流側担持端２２Ａと略一致している。換言すれば、改質触媒２２と低濃度担持領域２４Ｂを含む酸化触媒２４とで、少なくとも上流側の触媒担持範囲が略一致している。熱交換型改質器９０の他の構成は、熱交換型改質器７０、１０の対応する構成と同じである。
【００６７】
したがって、第４の実施形態に係る９０によっても、第１又は第２の実施形態に係る熱交換型改質器１０、７０と同様の作用によって、同様の効果を得ることができる。また、熱交換型改質器９０は、燃焼燃料の入口側端部側の所定範囲が低濃度担持領域２４Ｂとされているため、酸化触媒２４の低濃度担持領域２４Ｂでの燃焼反応が抑制されてピーク発熱量が低減し、発熱を生じる領域（発熱分布が）が下流側に広がって燃焼流路２０での燃焼発熱のピークが改質流路１８での改質反応に伴う吸熱のピークに近接する。また、上流側担持端２４Ａを含む低濃度担持領域２４Ｂではピーク発熱量が低く抑えられるため、改質触媒２２、２４の上流側担持端２２Ａ、２４Ａを略一致させた構成において、局所的な高温状態の発生が一層効果的に回避される。さらに、改質反応に部分酸化反応を伴う場合であっても、燃焼流路２０におけるから改質流路１８への電熱量が低濃度担持領域２４Ｂにおいて低く抑えられるため、ガス流れ方向の各部での吸発熱が良好にバランスされると共に、熱交換型改質器９０全体（システム）としての熱収支が最適化される。
【００６８】
なお、第４の実施形態では、改質触媒２２の上流側担持端２２Ａと酸化触媒２４の上流側担持端２４Ａとが略一致する例を示したが、本発明はこれに限定されず、例えば、上記各実施形態と同様に改質触媒２２の上流側担持端２２Ａを酸化触媒２４の上流側担持端２４Ａよりも上流側に設定しても良い。また、第４の実施形態では、改質触媒２２に高濃度担持領域２２Ｂが設定されない例を示したが、本発明はこれに限定されず、例えば、低濃度担持領域２４Ｂが設定された本実施形態において、改質触媒２２に高濃度担持領域２２Ｂを設定しても良い。以上のように吸発熱のピークを互いに反対側にシフトする構成を組み合わせることで、改質流路１８での吸熱分布と燃焼流路２０での発熱の分布とを一層良好に一致させて、吸発熱を良好にバランスさせることも可能になる。
【００６９】
また、上記各実施形態では、熱交換型改質器１０が燃料電池システム１１に適用された例を示したが、本発明はこれに限定されず、改質原料から水素含有ガスを得るための各種熱交換型改質器であれば足り、用途によって限定されることはない。
【００７０】
さらに、上記各実施形態では、改質流路１８を形成するための単位プレート部材５０と燃焼流路２０を形成するための単位プレート部材５１とを交互に積層して熱交換型改質器１０、７０、８０、９０を構成する例を示したが、本発明はこれに限定されず、例えば、２層の改質流路１８に対し１層の燃焼流路２０が配置されるように単位プレート部材５０、単位プレート部材５１を積層しても良い。
【図面の簡単な説明】
【００７１】
【図１】本発明の第１の実施形態に係る熱交換型改質器の要部を示す分解平面図である。
【図２】本発明の第１の実施形態に係る熱交換型改質器の要部を示す分解斜視図である。
【図３】（Ａ）は、本発明の第１の実施形態に係る熱交換型改質器の吸発熱を示す線図、（Ｂ）は比較例に係る熱交換型改質器の吸発熱を示す線図である。
【図４】本発明の第１の実施形態に係る熱交換型改質器が適用された燃料電池システムの概略システムフロー図である。
【図５】本発明の第２の実施形態に係る熱交換型改質器の要部を示す分解平面図である。
【図６】本発明の第３の実施形態に係る熱交換型改質器の要部を示す分解平面図である。
【図７】本発明の第４の実施形態に係る熱交換型改質器の要部を示す分解平面図である。
【図８】本発明の実施形態との第１比較例に係る熱交換型改質器を示す図であって、（Ａ）分解平面図、（Ｂ）は局所的な高温部位を示す平面図である。
【図９】本発明の実施形態との第２比較例に係る熱交換型改質器を示す図であって、（Ａ）分解平面図、（Ｂ）は局所的な高温部位を示す平面図である。
【符号の説明】
【００７２】
１０    熱交換型改質器
１８    改質流路（改質部）
２０    燃焼流路（加熱部）
２２    改質触媒
２２Ａ  上流側担持端（改質原料供給側の端部位置）
２２Ｂ  高濃度担持領域
２４    酸化触媒
２４Ａ  上流側担持端（燃料供給側の端部位置）
２４Ｂ  低濃度担持領域
５２    プレート部（隔壁）
７０・８０・９０    熱交換型改質器
【図１】
2007290900.tif 000003
【図２】
2007290900.tif 000004
【図３】
2007290900.tif 000005
【図４】
2007290900.tif 000006
【図５】
2007290900.tif 000007
【図６】
2007290900.tif 000008
【図７】
2007290900.tif 000009
【図８】
2007290900.tif 000010
【図９】
2007290900.tif 000011